(57)【要約】      （修正有）【課題】磁石の吸引力を用いたキャップの装着に当たり、ペン先を保護可能な筆記具を提供する。【解決手段】筆記具は、筆記具本体部であるボディ２０と、キャップ５０とを備える。キャップ５０内には円筒磁石５６が収容される。ボディ２０の先金２２は磁性体から構成される。円筒磁石５６はキャップ５０の中心軸と軸合わせされた円筒形状であり、キャップ５０の開放端がボディ２０のフランジ２４Ｂに当接されたキャップ装着状態において、円筒磁石５６の中空部にチップ３４Ａを収容可能である。さらにキャップ装着状態において、先金２２と円筒磁石５６とが離隔されるように、キャップ５０内における円筒磁石５６及びボディ２０における先金２２の少なくとも一方が位置決めされる。【選択図】図４
0003233324.tif 000002
【実用新案登録請求の範囲】
【請求項１】
筆記具本体部であるボディと、
前記ボディに対して着脱可能であって、中芯のペン先であるチップ及び前記中芯を支持する先金を被覆可能なキャップと、
を備える筆記具であって、
前記キャップは中心軸に沿った一端が開放されるとともに他端が閉塞された、有底円筒形状であって、
前記ボディは、前記先金の後端に設けられ当該先金より拡径され前記キャップの開放端と当接するフランジを備え、
前記キャップ内には磁石が収容され、
前記ボディの前記先金は磁性体から構成され、
前記磁石は前記キャップの前記中心軸と軸合わせされた円筒形状であり、前記キャップの前記開放端が前記ボディの前記フランジに当接されたキャップ装着状態において、前記磁石の中空部に前記チップを収容可能であって、
前記キャップ装着状態において、前記先金と前記磁石とが離隔されるように、前記キャップ内における前記磁石及び前記ボディにおける前記先金の少なくとも一方が位置決めされる、
筆記具。
【請求項２】
請求項１に記載の筆記具であって、
前記キャップは、円筒形状の本体筒部を備え、
前記先金の前端部は半球形状であって、
前記本体筒部の前記開放端から嵌め込まれて前記本体筒部の内周面を覆う、非磁性体からなる円筒部材を前記ボディが備える、
筆記具。
【請求項３】
請求項２に記載の筆記具であって、
前記中芯は、前記チップと、前端部において当該チップの後端部を収容する円筒形状のインクパイプを備え、
前記先金には、前記中芯が挿通される断面円形の中空部が、軸方向に穿孔され、
前記インクパイプの外周面と前記先金の前記中空部の内周面とに挟まれ弾性変形するＯリングが設けられた、
筆記具。
【請求項４】
請求項３に記載の筆記具であって、
前記ボディの後端部には、前記インクパイプの後端と当接するプレートが設けられ、
前記インクパイプの前記後端と当接する、前記プレートの当接面に、前記インクパイプの後端開口と流体的に連通する溝が形成された、
筆記具。
【考案の詳細な説明】
【技術分野】
【０００１】
本考案は筆記具に関する。
【背景技術】
【０００２】
キャップと本体部であるボディとを備える筆記具において、従来から磁石の吸引力を利用してボディにキャップを装着する技術が知られている。例えば特許文献１、２では、キャップの開口端に円筒形状の磁石が設けられるとともに、ボディのペン先周辺の、キャップ開口端と当接する段差部に円筒形状の磁石が設けられる。
【０００３】
また特許文献３では、前後にペン先である第一筆軸部及び第二筆軸部が設けられたペン体と、第一筆軸部及び第二筆軸部の一方を収容するスリーブとを備えた筆記具が開示されている。この筆記具では、スリーブの開口端に円筒形状の磁石が設けられる。また第一筆軸部及び第二筆軸部にも、スリーブの開口端と当接する段差部に、円筒形状の磁石が設けられる。
【先行技術文献】
【特許文献】
【０００４】
【特許文献１】特開２０１３−２５６０５５号公報
【特許文献２】実開平２−１１２４８９号公報
【特許文献３】特開２０１４−２６６５０号公報
【考案の概要】
【考案が解決しようとする課題】
【０００５】
ところで、キャップの開口端に円筒形状の磁石を配置する際には、キャップ開口端の円筒端面に円筒磁石を接着させる。接着剤が劣化するとキャップから円筒磁石が剥離及び脱落してしまう。
【０００６】
このため、キャップの筒内に磁石を収容することで磁石のキャップからの脱落を抑制することが考えられる。磁石の吸引力を十分に保つためにはペン先に近接して磁石を設けることが望ましいが、過剰に近接すればペン先のチップに磁石が当たる等、ペン先の破損に繋がるおそれがある。
【０００７】
そこで本明細書では、磁石の吸引力を用いたキャップの装着に当たり、ペン先を保護可能な筆記具が開示される。
【課題を解決するための手段】
【０００８】
本明細書では筆記具が開示される。この筆記具は、筆記具本体部であるボディと、キャップとを備える。キャップは、ボディに対して着脱可能であって、中芯のペン先であるチップ及び中芯を支持する先金を被覆可能となっている。キャップは中心軸に沿った一端が開放されるとともに他端が閉塞された、有底円筒形状である。ボディは、先金の後端に設けられ当該先金より拡径されキャップの開放端と当接するフランジを備える。キャップ内には磁石が収容される。ボディの先金は磁性体から構成される。磁石はキャップの中心軸と軸合わせされた円筒形状であり、キャップの開放端がボディのフランジに当接されたキャップ装着状態において、磁石の中空部にチップを収容可能である。さらにキャップ装着状態において、先金と磁石とが離隔されるように、キャップ内における磁石及びボディにおける先金の少なくとも一方が位置決めされる。
【０００９】
上記構成によれば、チップ及び先金がキャップ内の磁石と非接触の状態で、キャップにボディが装着される。
【００１０】
また上記構成において、キャップは、円筒形状の本体筒部を備えてよい。また先金の前端部は半球形状であってよい。この場合、ボディは、非磁性体からなる円筒部材を備えてよい。この円筒部材は、本体筒部の開放端から嵌め込まれて本体筒部の内周面を覆う。
【００１１】
上記構成によれば、先金の前端部の半球面をガイド面として、当該先金がキャップ内に挿入可能となる。またこのとき、先金の前端部と当接するキャップの開放端が磁性体であると、先金と磁気的に吸着して先金をキャップ内に挿入することが困難になるおそれがあるが、非磁性体でキャップ内周面を覆うことで、先金との吸着を抑制可能となる。
【００１２】
また上記構成において、中芯は、チップと、前端部において当該チップの後端部を収容する円筒形状のインクパイプを備えてよい。この場合、先金には、中芯が挿通される断面円形の中空部が、軸方向に穿孔される。また、インクパイプの外周面と先金の中空部の内周面とに挟まれ弾性変形するＯリングが設けられる。
【００１３】
上記構成によれば、インクパイプの直径と比べて先金の内径が大きい場合には、Ｏリングによって径差に基づく中芯のがたつきが抑制される。また、Ｏリングによって中芯が先金に仮固定されるので、先金からの中芯の抜けが抑制される。
【００１４】
また上記構成において、ボディの後端部には、インクパイプの後端と当接するプレートが設けられてよい。この場合、インクパイプの後端と当接する、プレートの当接面に、インクパイプの後端開口と流体的に連通する溝が形成される。
【００１５】
インクパイプ内のインク消費に伴って、インクパイプの後端開口から空気が取り込まれる。上記構成によれば、プレートの当接面に溝が形成されることで、インクパイプへの空気流路が確保される。
【考案の効果】
【００１６】
本明細書に開示される筆記具によれば、磁石の吸引力を用いたキャップの装着に当たり、ペン先を保護可能となる。
【図面の簡単な説明】
【００１７】
【図１】本実施形態に係る筆記具であって、キャップ装着状態の様子を例示する斜視図である。
【図２】本実施形態に係る筆記具であって、ボディからキャップを取り外したときの様子を例示する斜視図である。
【図３】本実施形態に係る筆記具であって、ボディの後端にキャップを配置させたときの様子を例示する斜視図である。
【図４】本実施形態に係る筆記具の構成部品を例示する分解斜視図である。
【図５】図２の一部断面斜視図である。
【図６】図１の一部断面斜視図である。
【図７】図６の円Ａで囲まれた部分の拡大図である。
【図８】図６の円Ｂで囲まれた部分の拡大図である。
【考案を実施するための形態】
【００１８】
以下、図１−図８を用いて、本実施形態に係る筆記具１０が説明される。筆記具１０は、例えばボールペンであってよい。図１に顕著に示されているように、筆記具１０はその前端から後端に亘り、直径が等しい円柱状の外観を呈する。なお、本明細書において、寸法に関する「等しい」との記載は、所定の公差内に含まれる誤差を有する場合も含まれる。
【００１９】
図１には、筆記具１０のボディ２０の前端部にキャップ５０が装着された、キャップ装着状態が例示される。図２には、ボディ２０からキャップ５０が取り外された、キャップ分離状態が例示される。図３には、ボディ２０の後端にキャップ５０が配置（吸着）された、キャップ保持状態が例示される。さらに図４には、筆記具１０の構成部品が例示される。
【００２０】
図１−図４を参照して、本実施形態に係る筆記具１０は、筆記具本体部であるボディ２０と、ボディの前端部に装着されるキャップ５０を含んで構成される。図１、図２に例示されるように、キャップ装着状態において、ボディ２０のチップ３４Ａと、チップ３４Ａを含む中芯３４（図４参照）を支持する先金２２とが、キャップ５０に被覆される。
【００２１】
図３、図４を参照して、ボディ２０の後端部に設けられた円柱磁石３０と、キャップ５０に設けられた円柱磁石５４及び円筒磁石５６とが引き合って、ボディ２０の後端にキャップ５０が吸着される。
【００２２】
図４を参照して、キャップ５０は、ボディ２０に対して着脱可能であって、キャップ本体筒５８（本体筒部）、キャップ前端ビス５２、及びキャップ後端ビス６０を備える。また、キャップ５０の内部には、円柱磁石５４及び円筒磁石５６が収容される。
【００２３】
キャップ本体筒５８（本体筒部）は、中心軸に沿って両端が開放された円筒形状に構成される。例えばキャップ本体筒５８は、アルミニウムやオーステナイト系ステンレスであるＳＵＳ３０３等の非磁性体から構成される。
【００２４】
キャップ本体筒５８に円柱磁石５４及び円筒磁石５６を収容するに当たり、仮にキャップ本体筒５８が磁性体であると、収容の過程でキャップ本体筒５８に円柱磁石５４及び円筒磁石５６が吸着して、収容作業が困難になるおそれがある。キャップ本体筒５８を非磁性体から構成することで、円柱磁石５４及び円筒磁石５６のスムーズな収容が可能となる。
【００２５】
キャップ前端ビス５２は、円板部５２Ａ及びフランジ５２Ｂを備える。円板部５２Ａの直径はキャップ本体筒５８の内径よりもわずかに（例えば０．１ｍｍ〜０．２ｍｍ程度）大きくなるように構成される。フランジ５２Ｂの直径はキャップ本体筒５８の外径と等しい。キャップ前端ビス５２は、その円板部５２Ａがキャップ本体筒５８に圧入される。また、キャップ前端ビス５２は、フェライト系ステンレスであるＳＵＳ４３０等の磁性体から構成される。
【００２６】
キャップ後端ビス６０は、円筒部６０Ａ及びフランジ６０Ｂを備える円筒部材である。キャップ後端ビス６０は、オーステナイト系ステンレスであるＳＵＳ３０３等の非磁性体から構成される。円筒部６０Ａの外径はキャップ本体筒５８の内径よりもわずかに（例えば０．１ｍｍ〜０．２ｍｍ程度）大きくなるように構成される。また、円筒部６０Ａ及びフランジ６０Ｂの内径は、先金２２の半球面２２Ａの直径以上となるように構成される。さらに、フランジ６０Ｂの外径は、キャップ本体筒５８の外径と等しい。キャップ後端ビス６０の円筒部６０Ａが、キャップ本体筒５８に圧入されることで、キャップ本体筒５８にキャップ後端ビス６０が固定される。
【００２７】
キャップ後端ビス６０の円筒部６０Ａは、キャップ本体筒５８内の円筒磁石５６の、キャップ５０の開放端側への移動を規制する規制部材である。後述されるように、円筒磁石５６に対して接着剤等の固定手段は用いられず、円筒磁石５６は、円柱磁石５４との吸着によってキャップ本体筒５８内に位置決めされる。そうなると、例えば図６のようなキャップ装着状態からボディ２０をキャップ５０から引き抜く際に、先金２２に引っ張られて円筒磁石５６がキャップ５０から引き抜かれるおそれがある。このような円筒磁石５６の引き抜きを防止するため、キャップ後端ビス６０の円筒部６０Ａが、キャップ本体筒５８内にて円筒磁石５６をキャップ５０の後端側から押さえている。
【００２８】
キャップ本体筒５８にキャップ前端ビス５２及びキャップ後端ビス６０が圧入固定されることで、中心軸に沿った一端が開放されるとともに他端が閉塞された有底円筒形状のキャップ５０が組み立てられる。ここで、キャップ５０の開放端及びその周辺の内周面は、キャップ後端ビス６０に覆われる。非磁性体であるキャップ後端ビス６０によりキャップ５０の開放端及びその周辺の内周面が覆われることで、後述のようにキャップ装着時におけるボディ２０の先金２２とキャップ５０の開放端との吸着が抑制される。
【００２９】
キャップ５０内には円柱磁石５４及び円筒磁石５６が収容される。円柱磁石５４及び円筒磁石５６は、例えばフェライト磁石、ネオジム磁石、サマリウムコバルト磁石、アルニコ磁石の何れかの永久磁石から構成される。円柱磁石５４の直径及び円筒磁石５６の外径は、キャップ本体筒５８（本体筒部）の内径以下に構成される。
【００３０】
また、円筒磁石５６はキャップ５０の中心軸と軸合わせされる。円筒磁石５６の内径は、中芯３４（図４参照）のチップ３４Ａの直径を超過するように定められる。このような内径とすることで、後述される図７のように、円筒磁石５６の中空部にチップ３４Ａが収納可能となる。
【００３１】
さらに、円筒磁石５６の外径は、キャップ後端ビス６０の円筒部６０Ａの内径を超過するように定められる。このような外径とすることで、円筒磁石５６の、キャップ開放端側への移動が、円筒部６０Ａにより規制される。
【００３２】
円柱磁石５４は、磁性体であるキャップ前端ビス５２の円板部５２Ａに吸着される。さらに円柱磁石５４に円筒磁石５６が吸着される。この、円柱磁石５４及び円筒磁石５６が吸着された状態で、キャップ前端ビス５２がキャップ本体筒５８に圧入される。このようにして、接着剤等の固定手段を省いて、キャップ５０内に円柱磁石５４及び円筒磁石５６が位置決めされる。
【００３３】
図５には、キャップ分離状態の筆記具１０の一部断面斜視図が例示される。さらに図６には、キャップ装着状態の筆記具１０の一部断面斜視図が例示される。図４−図６を参照して、筆記具本体部であるボディ２０は、先金２２、ボディ前端ビス２４、ボディ本体筒２６、空気抜きプレート２８、円柱磁石３０、ボディ後端ビス３２、中芯３４、及びＯリング３６を備える。
【００３４】
ボディ本体筒２６は、中心軸に沿った両端が開放された円筒部材である。ボディ本体筒２６の外径はキャップ本体筒５８の外径と等しい。またボディ本体筒２６は、アルミニウムやオーステナイト系ステンレスであるＳＵＳ３０３等の非磁性体から構成される。
【００３５】
ボディ本体筒２６に円柱磁石３０を収容するに当たり、仮にボディ本体筒２６が磁性体であると、収容の過程でボディ本体筒２６に円柱磁石３０が吸着して、収容作業が困難になるおそれがある。ボディ本体筒２６を非磁性体から構成することで、円柱磁石３０のスムーズな収容が可能となる。
【００３６】
ボディ前端ビス２４は、略円筒形状の部材であって、円筒部２４Ａ及びフランジ２４Ｂを備える。円筒部２４Ａ及びフランジ２４Ｂの内周面にはネジ溝が切られる。円筒部２４Ａの外径はボディ本体筒２６の内径よりもわずかに（例えば０．１ｍｍ〜０．２ｍｍ程度）大きくなるように構成される。フランジ２４Ｂの外径は先金２２の直径よりも拡径されボディ本体筒２６の外径と等しい。後述されるように、フランジ２４Ｂはキャップ５０の開放端であるキャップ後端ビス６０のフランジ６０Ｂと当接する。ボディ前端ビス２４はオーステナイト系ステンレスであるＳＵＳ３０３等の非磁性体から構成される。
【００３７】
ボディ後端ビス３２は、円板部３２Ａ及びフランジ３２Ｂを備える。円板部３２Ａの直径はボディ本体筒２６の内径よりもわずかに（例えば０．１ｍｍ〜０．２ｍｍ程度）大きくなるように構成される。フランジ３２Ｂの直径はボディ本体筒２６の外径と等しい。ボディ後端ビス３２はフェライト系ステンレスであるＳＵＳ４３０等の磁性体から構成される。
【００３８】
ボディ前端ビス２４の円筒部２４Ａ及びボディ後端ビス３２の円板部３２Ａがボディ本体筒２６に圧入される。これにより、有底円筒形状のボディ本体筒部が構成される。
【００３９】
また、このボディ本体筒部内に、円柱磁石３０及び空気抜きプレート２８が収容される。円柱磁石３０は、例えばフェライト磁石、ネオジム磁石、サマリウムコバルト磁石、アルニコ磁石の何れかの永久磁石から構成される。また円柱磁石３０の直径は、ボディ本体筒２６の内径以下となるように構成される。
【００４０】
空気抜きプレート２８は、円板形状であって、フェライト系ステンレスであるＳＵＳ４３０や鉄等の磁性体から構成される。図８には、図６の円Ｂで囲まれた領域の拡大図が例示される。空気抜きプレート２８は、中芯３４のインクパイプ３４Ｂの後端３４Ｃと当接する当接面２８Ａを備える。この当接面２８Ａには、空気抜き用の溝２８Ｂ，２８Ｃが形成される。溝２８Ｂ，２８Ｃにより、当接面２８Ａの中心を交差する十字形状の溝が形成される。溝２８Ｂ，２８Ｃの幅は、インクパイプ３４Ｂの外径未満に定められる。
【００４１】
筆記具１０を用いた筆記中に、インクパイプ３４Ｂの後端３４Ｃを空気抜きプレート２８が受け止める。インクの消費に伴い、インクパイプ３４Ｂ内に空気が取り込まれる。この空気の取り込みを確実にするために、空気抜きプレート２８には溝２８Ｂ，２８Ｃが形成される。溝２８Ｂ，２８Ｃの幅をインクパイプ３４Ｂの直径未満とすることで、インクパイプ３４Ｂの後端開口は溝２８Ｂ，２８Ｃを跨ることになり、インクパイプ３４Ｂの後端開口と溝２８Ｂ，２８Ｃは流体的に連通される。
【００４２】
磁性体からなる空気抜きプレート２８は、円柱磁石３０に吸着保持される。また円柱磁石３０はボディ後端ビス３２の円板部３２Ａに吸着保持される。この状態で、ボディ後端ビス３２の円板部３２Ａがボディ本体筒２６内に圧入される。このようにして、接着剤等の固定手段を省いて、ボディ本体筒２６内に円柱磁石３０及び空気抜きプレート２８が位置決めされる。
【００４３】
図４を参照して、先金２２には、断面円形の中空部が軸方向に穿孔される。この中空部に中芯３４が挿通される。先金２２はフェライト系ステンレスであるＳＵＳ４３０等の磁性体から構成される。
【００４４】
先金２２は、前端部である半球面２２Ａと、螺合部２２Ｂを備える。螺合部２２Ｂの外周面にはネジ溝が切られており、ボディ前端ビス２４の内周面に設けられたネジ溝と螺合可能となっている。
【００４５】
先金２２の前端部である半球面２２Ａは、キャップ５０の装着時にガイド面として機能する。例えばキャップ後端ビス６０の内周面または後端のエッジ部分に半球面２２Ａが当たりながら、先金２２がキャップ５０内に挿入される。先金２２は磁性体から構成されているから、キャップ５０に収容された円柱磁石５４及び円筒磁石５６の磁力（吸引力）により、使用者による付勢を要さずに、先金２２はキャップ５０内に進入する。
【００４６】
ここで、キャップ後端ビス６０が磁性体から構成されていると、先金２２とキャップ後端ビス６０とが最初に接触したポイントで、両者が吸着保持されてしまい、キャップ５０内への先金２２の収容が困難となるおそれがある。そこで、本実施形態に係る筆記具１０では、キャップ後端ビス６０を非磁性体とし、先金２２の、キャップ後端ビス６０上における円滑な移動を可能としている。
【００４７】
図７には、図６の円Ａで囲まれた領域の拡大図が例示される。中芯３４は、その前端部でありペン先であるチップ３４Ａと、チップ３４Ａの後端部（破線で図示）を収容する円筒形状のインクパイプ３４Ｂを備える。このインクパイプ３４Ｂの外周面に、Ｏリング３６が装着される。例えば図７の例では、３本のＯリング３６がインクパイプ３４Ｂに装着される。
【００４８】
インクパイプ３４Ｂの外周面と先金２２の内周面との間に間隙が生じる場合、チップ３４Ａと先金２２とが相対移動して（がたついて）書き心地の低下をもたらすおそれがある。そこでインクパイプ３４ＢにＯリング３６を装着し、インクパイプ３４Ｂの外周面と先金２２の内周面とにＯリング３６を挟んで弾性変形させる（潰す）ことで、チップ３４Ａと先金２２との相対移動（がたつき）が抑制される。
【００４９】
また、Ｏリング３６により、先金２２内に中芯３４が仮固定される。したがって、チップ３４Ａが下になるようにボディ２０が向けられたときに、先金２２から中芯３４が抜け落ちることが抑制される。
【００５０】
なお、図７では、キャップ５０の開放端であるキャップ後端ビス６０が、ボディ前端ビス２４のフランジ２４Ｂに当接したキャップ装着状態が例示されている。この状態において、チップ３４Ａは円筒磁石５６の中空部内に収容される。さらに先金２２の半球面２２Ａと円筒磁石５６とが離隔されるように、キャップ５０内における円筒磁石５６の位置が定められる。
【００５１】
例えば、円筒磁石５６の内周面と後端面との稜線であるエッジ５６Ａから、キャップ後端ビス６０のフランジ６０Ｂの当接面６０Ｃまでの、筆記具１０の中心軸Ｃ１に沿った距離を離隔距離Ｌ１とする。また、エッジ５６Ａから中心軸Ｃ１に沿った線と半球面２２Ａとの交わる点から、ボディ前端ビス２４のフランジ２４Ｂの当接面２４Ｃまでの、中心軸Ｃ１に沿った距離を離隔距離Ｌ２とする。ここで、Ｌ１＞Ｌ２となるように、キャップ５０内の円筒磁石５６及びボディ２０の先金２２の位置決めを行うことで、先金２２の半球面２２Ａと円筒磁石５６との接触が避けられる。
【００５２】
同様にして、例えばチップ３４Ａが半球面２２Ａから突出する突出長さよりも、円筒磁石５６の軸方向長さを長く取ることで、チップ３４Ａの先端が円柱磁石５４に当接することが避けられる。
【００５３】
このようにして、キャップ装着状態においてチップ３４Ａ及び先金２２の半球面２２Ａが、キャップ５０の構成部品に対して非接触となることで、ペン先の潰れや、先金の摩耗を抑制可能となる。
【符号の説明】
【００５４】
１０  筆記具、２０  ボディ、２２  先金、２２Ａ  半球面、２４  ボディ前端ビス、２４Ｂ  フランジ、２６  ボディ本体筒、２８  空気抜きプレート、２８Ａ  空気抜きプレートの当接面、２８Ｂ，２８Ｃ  溝、３０  円柱磁石、３２  ボディ後端ビス、３４  中芯、３４Ａ  チップ、３４Ｂ  インクパイプ、３６  Ｏリング、５０  キャップ、５２  キャップ前端ビス、５４  円柱磁石、５６  円筒磁石、５６Ａ  円筒磁石のエッジ、５８  キャップ本体筒（本体筒部）、６０  キャップ後端ビス。
【図１】
0003233324.tif 000003
【図２】
0003233324.tif 000004
【図３】
0003233324.tif 000005
【図４】
0003233324.tif 000006
【図５】
0003233324.tif 000007
【図６】
0003233324.tif 000008
【図７】
0003233324.tif 000009
【図８】
0003233324.tif 000010